(57)【要約】      （修正有）【課題】係合装置を突出させるための新たな駆動装置を必要とせず、係合装置を突出させることができるエレベータの戸係合装置を得る。【解決手段】乗場の戸１６に進退自在に設けられた一対の係合ローラ２３と、係合ローラに設けられた転動傾斜部２３ｃと、かごの戸に進退自在に設けられた固定側係合ベーン１０と、固定側係合ベーンにベーン角度を調整可能に設けられた可動側係合ベーン１２と、固定側係合ベーン及び可動側係合ベーンに設けられ、係合ローラの転動傾斜部と離れて対向する傾斜部とを備え、戸開閉動作中は、可動側係合ベーンのベーン角度が押し広げられ、固定側係合ベーン及び可動側係合ベーンの傾斜部と係合ローラの転動傾斜部が互いに接触し、固定側係合ベーン及び可動側係合ベーンを係合方向に突出させるとともに、係合ローラを係合方向に突出させる。【選択図】図５
2008037569.tif 000002
【特許請求の範囲】
【請求項１】
乗場の戸の昇降路側に進退自在に設けられ、常時は反係合方向の乗場側に引き込める方向に付勢された一対の係合ローラと、
前記係合ローラの外周面に設けられた転動傾斜部と、
かごの戸の乗場側に進退自在に設けられ、常時は反係合方向のかご側に引き込める方向に付勢されて前記係合ローラ間に配置される固定側係合ベーンと、
前記固定側係合ベーンと対向しかつベーン角度を調整可能に設けられ、常時はベーン角度を狭くする方向に付勢されて前記係合ローラ間に配置される可動側係合ベーンと、
前記固定側係合ベーン及び前記可動側係合ベーンの先端部にそれぞれ設けられ、常時は前記係合ローラのそれぞれの転動傾斜部と離れて対向している傾斜部とを備え、
戸開閉動作中は、前記可動側係合ベーンのベーン角度が付勢力に抗して押し広げられ、前記固定側係合ベーン及び前記可動側係合ベーンの傾斜部と前記係合ローラの転動傾斜部とが互いに接触し、両者の傾斜部の作用により前記固定側係合ベーン及び前記可動側係合ベーンを係合方向の乗場側に突出させるとともに、前記係合ローラを係合方向の昇降路側に突出させることを特徴とするエレベータの戸係合装置。
【請求項２】
一対の係合ローラは、昇降路側が大径で乗場側が小径の断面台形状を呈し、その外周面に外広がりの転動傾斜面を有しており、
固定側係合ベーン及び可動側係合ベーンは、先端部に外広がりの傾斜面をそれぞれ有することを特徴とする請求項１記載のエレベータの戸係合装置。
【請求項３】
一対の係合ローラは、戻しバネにより常時乗場側に引き込められており、
固定側係合ベーンは、戻しバネにより常時かご側に引き込められていることを特徴とする請求項１又は請求項２記載のエレベータの戸係合装置。
【請求項４】
可動側係合ベーンは、固定側係合ベーンに対し軸ピンと、ベーン角度を常時狭くする方向に付勢するバネとを備えることを特徴とする請求項１〜請求項３のいずれかに記載のエレベータの戸係合装置。
【発明の詳細な説明】
【技術分野】
【０００１】
この発明は、乗場とかごの敷居間隔を狭くすることができるエレベータの戸係合装置に関するものである。
【背景技術】
【０００２】
最近の世の中は老齢者や身障者に優しいバリアフリー化が進んでいる。エレベータにおいても、乗場の敷居とかごの敷居の間の隙間による躓き事故を減らすため、敷居間隔を小さくする要望が多くなっている。しかし、乗場の敷居とかごの敷居の間には、かごの戸と乗場の戸の開閉を伝達するための係合装置があるため、敷居間隔を安易に小さくすると、係合装置が相手の敷居と干渉したり、係合装置間の係合代が少なくなって係合が外れる恐れがあった。
【０００３】
また、乗場の敷居とかごの敷居の間の隙間を狭くする従来技術として、乗場側ドアに設けられた一対の係合ローラと、かご側ドアに揺動自在に設けられ揺動すると係合ローラと係合可能なカーカムと、カーカムを係合ローラから離脱する位置に付勢するスプリングと、カーカムの近傍に配設されたガイドレールと、ガイドレールに摺動可能に設けられカーカムと当接して押圧可能な押圧ローラと、押圧ローラをガイドレールに沿って摺動させるモータとを備え、モータによって押圧ローラをガイドレールに沿って摺動させると、押圧ローラがスプリングの付勢力に抗してカーカムを係合ローラと係合させるようにしたものが提案されている（例えば、特許文献１参照）。
【０００４】
【特許文献１】特開２０００−１１８９２３号公報
【発明の開示】
【発明が解決しようとする課題】
【０００５】
従来の乗場の敷居とかごの敷居の間の隙間を狭くする技術は、戸開の動きを利用して押圧ローラでカーカムを突出させ係合代を大きくしてカーカムと係合ローラの係合が外れないようにしたものであり、エレベータ走行中はカーカムを引き込め、戸開閉中のみカーカムを突出させ、十分な係合の咥え代を確保するようにしている。また、その他にも、戸開閉装置の動きをリンク装置で取り出し、係合装置を突出させるものや、戸閉装置の駆動機以外にモータや電磁マグネットの力で係合装置を突出させるものもある。しかし、係合装置を突出させるための機構が複雑になり、故障の原因となる。また、係合装置を駆動する駆動機構やそれを制御する装置が必要になり、高価になるという問題があった。
【０００６】
この発明は上記のような課題を解決するためになされたもので、係合装置を突出させるための新たな駆動装置を必要としなくても、係合装置を突出させることができるように構成したエレベータの戸係合装置を提供するものである。
【課題を解決するための手段】
【０００７】
この発明に係るエレベータの戸係合装置は、乗場の戸の昇降路側に進退自在に設けられ、常時は反係合方向の乗場側に引き込める方向に付勢された一対の係合ローラと、係合ローラの外周面に設けられた転動傾斜部と、かごの戸の乗場側に進退自在に設けられ、常時は反係合方向のかご側に引き込める方向に付勢されて係合ローラ間に配置される固定側係合ベーンと、固定側係合ベーンと対向しかつベーン角度を調整可能に設けられ、常時はベーン角度を狭くする方向に付勢されて係合ローラ間に配置される可動側係合ベーンと、固定側係合ベーン及び可動側係合ベーンの先端部にそれぞれ設けられ、常時は係合ローラのそれぞれの転動傾斜部と離れて対向している傾斜部とを備え、戸開閉動作中は、可動側係合ベーンのベーン角度が付勢力に抗して押し広げられ、固定側係合ベーン及び可動側係合ベーンの傾斜部と係合ローラの転動傾斜部とが互いに接触し、両者の傾斜部の作用により固定側係合ベーン及び可動側係合ベーンを係合方向の乗場側に突出させるとともに、係合ローラを係合方向の昇降路側に突出させるものである。
【発明の効果】
【０００８】
この発明によれば、エレベータの戸開閉中のみ係合装置の掴み力により係合ベーンの傾斜部と係合ローラの傾斜部の作用により係合装置が互いに突出し、係合装置の咥え代が大きくなり、係合が外れることがない戸係合装置を安価に提供することができる。
【発明を実施するための最良の形態】
【０００９】
実施の形態１.
図１はこの発明の実施の形態１におけるエレベータの戸係合装置のかご側戸閉装置を斜め上方から見た外観斜視図、図２はこの発明の実施の形態１におけるエレベータの戸係合装置の乗場側戸閉装置を昇降路側から見た斜視図、図３はこの発明の実施の形態１におけるエレベータの戸係合装置を示す平面図、図４はこの発明の実施の形態１におけるエレベータの戸係合装置の戸開閉動作を行っていない戸閉時の状態を示す要部拡平面図、図５はこの発明の実施の形態１におけるエレベータの戸係合装置の戸開閉動作中の状態を示す要部拡平面図である。
【００１０】
図において、１はエレベータのかご、１ａはかご１の出入り口枠、２はかご１出入り口に設けられたかごの戸、３はかご枠、４はかごの戸２を開閉する戸開閉駆動リンク、４ａは戸開閉駆動リンク４の先端部に設けられたベーン角度変更リンク、４ｂは戸開閉駆動リンク４の中央部に設けられた従動の戸用駆動リンク、４ｃは戸開閉駆動リンク４の上端部に設けられた戸駆動用リンク、５はかごの戸２の上端部に設けられたドアハンガー、６は上面にドアハンガー５が懸垂されて転動するかごの戸２の案内レール、７はかご１の上部に設けられた駆動モータ、８はかご１の下部に設けられたかごの敷居、９はかごの戸１の乗場側表面に設けられた軸受９ａを中央に有するベーン取付金、１０は背面に突出して設けられたベーン支持軸１０ａがベーン取付金９の軸受９ａに貫通され、かごの戸１の乗場側に向かって進退自在に突出するように設けられた固定側係合ベーンである。この固定側係合ベーン１０は、ベーン支持軸１０ａの先端部にストッパー１０ｂが形成され、このストッパー１０ｂとベーン取付金９の背面との間に戻しバネ１１を設けることにより、固定側係合ベーン１０のベーン支持軸１０ａを軸受９ａに軸支するとともに、固定側係合ベーン１０は戻しバネ１１により常時反係合方向、すなわちかご側に引き込められている。１０ｃは固定側係合ベーン１０の乗場側先端部に形成された外広がりの傾斜部、１０ｄは固定側係合ベーン１０の中央部に形成された貫通穴で、この貫通穴に挿通されたベーン角度変更リンク４ａの先端が可動側係合ベーン１２に当接して可動側係合ベーン１２の角度を調整する。１２は固定側係合ベーン１０の後端部に軸ピン１３とベーン角度を閉じ戻す（狭くする）ためのつる巻きバネ１４とを備えた可動側係合ベーンで、固定側係合ベーン１０と対向しかごの戸１の乗場側に向かって突出するように設けられている。１２ａは可動側係合ベーン１２の乗場側先端部に形成された外広がりの傾斜部である。１５は乗場出入り口枠、１６は乗場出入り口に設けられた乗場の戸、１７は乗場の戸１６の上端部に設けられたドアハンガー、１８は上面にドアハンガー１７が懸垂されて転動する乗場の戸１６の案内レール、１９は乗場の上部に設けられた乗場戸閉装置、２０は乗場の下部に設けられた乗場の敷居、２１は乗場の戸１６の昇降路側（かご側）表面に設けられた係合ローラ取付台、２２は係合ローラ取付台２１上に設けられ、左右両側の２個所にそれぞれ軸受２２ａが設けられた軸取付金具、２３は軸取付金具２２の両側２個所の軸受２２ａに係合ローラ支持軸２３ａがそれぞれ貫通され、昇降路側に向かって進退自在に突出するように設けられた左右一対の係合ローラである。この係合ローラ２３は、昇降路側が大径で乗場側が小径の断面台形状を呈しており、係合ローラ支持軸２３ａの先端部にストッパー２３ｂが形成され、このストッパー２３ｂと軸取付金具２２の背面との間に戻しバネ２４を設けることにより、係合ローラ２３の係合ローラ支持軸２３ａを軸受２２ａに軸支するとともに、係合ローラ２３は戻しバネ２４により常時反係合方向、すなわち乗場側に引き込められている。２３ｃは係合ローラ２３の外周面に形成された外広がりの転動傾斜部である。この係合ローラ２３の転動傾斜部２３ｃが、戸開閉動作中に上記固定側係合ベーン１０の傾斜部１０ｃ及び上記可動側係合ベーン１２の傾斜部１２ａに接触し、可動側係合ベーン１２の角度が押し広げられると、固定側係合ベーン１０及び係合ローラ２３にそれぞれの軸長手方向の分力が働き、固定側係合ベーン１０及び係合ローラ２３が戻しバネ１１、２４の付勢力に抗して互いに係合方向に移動するように構成されている。
【００１１】
次に、戸係合装置の動作について、図３〜図５により説明する。
先ず、戸開閉動作を行っていない通常の戸閉時の状態では、図３及び図４に示すように、固定側係合ベーン１０は、ベーン支持軸１０ａを軸受９ａに軸支するとともに、戻しバネ１１により常時反係合方向、すなわちかご側に引き込められている。また、可動側係合ベーン１２は、固定側係合ベーン１０と同じ引き込み位置にあり、軸ピン１３とベーン角度を閉じ戻すためのつる巻きバネ１４によりベーン角度を狭くされている。また同様に、係合ローラ２３は、係合ローラ支持軸２３ａを軸受２２ａに軸支するとともに、戻しバネ２４により常時反係合方向、すなわち乗場側に引き込められている。したがって、固定側係合ベーン１０の先端傾斜部１０ｃ及び可動側係合ベーン１２の先端傾斜部１２ａは、係合ローラ２３の転動傾斜部２３ｃと離れて対向している。この通常の戸閉時の状態では戸係合装置の係合代（咥え代）寸法はＨ１であり、小さい寸法である。
次に、戸開閉動作中の状態では、図５に示すように、戸開閉力が作用して戸開閉駆動リンク４の働きで、ベーン角度変更リンク４ａの先端が可動側係合ベーン１２を押圧して可動側係合ベーン１２の角度が押し広げられ、可動側係合ベーン１２の傾斜部１２ａ及び固定側係合ベーン１０の傾斜部１０ｃが一対の係合ローラ２３の内側転動傾斜部２３ｃに押し付けられる。すると可動側係合ベーン１２の傾斜部１２ａ及び固定側係合ベーン１０の傾斜部１０ｃと、これと対面する左右一対の係合ローラ２３の転動傾斜部２３ｃとの相互作用により、固定側係合ベーン１０及び係合ローラ２３にそれぞれの軸長手方向の分力が働き、固定側係合ベーン１０及び係合ローラ２３がそれぞれの戻しバネ１１、２４の付勢力に抗して互いに係合方向に移動する。すなわち、係合装置が互いに係合する方向に突出することになる。このため、戸開閉動作中の戸係合装置の係合代（咥え代）寸法は、Ｈ１よりも大きい寸法であるＨ２になる。
【００１２】
以上のように、この発明の実施の形態１によれば、戸開閉中であるから、かごの戸２の固定側係合ベーン１０及び可動側係合ベーン１２が突出し過ぎても乗場の敷居２０に当たることはない。すなわち、戸開閉中は、敷居高さと係合装置の高さ位置が違うため、干渉することがない。同様の理由により、乗場の戸１６の係合ローラ２３が突出し過ぎてもかごの敷居８に当たることはない。このため、乗場とかごの敷居間隔を狭くしても、戸開閉中は、係合装置の係合代（咥え代）を十分確保することができ、新たに係合装置を突出させる動力を備える必要がなく、係合装置を突出させる構成を安価に実現することができる。
【００１３】
なお、以上の説明では、２枚戸片開き式の戸係合装置について説明したが、その他に２枚戸中央開き式の戸、３枚戸片開き式の戸、４枚戸中央開き式の戸の戸係合装置にも適用できることは勿論である。
【図面の簡単な説明】
【００１４】
【図１】この発明の実施の形態１におけるエレベータの戸閉係合装置のかご側戸閉装置を斜め上方から見た外観斜視図である。
【図２】この発明の実施の形態１におけるエレベータの戸閉係合装置の乗場側戸閉装置を昇降路側から見た斜視図である。
【図３】この発明の実施の形態１におけるエレベータの戸閉係合装置を示す平面図である。
【図４】この発明の実施の形態１におけるエレベータの戸閉係合装置の戸開閉動作を行っていない状態を示す要部拡平面図である。
【図５】この発明の実施の形態１におけるエレベータの戸閉係合装置の戸開閉中を示す要部拡平面図である。
【符号の説明】
【００１５】
１  かご
１ａ  かごの出入り口枠
２  かごの戸
３  かご枠
４  戸開閉駆動リンク
４ａ  ベーン角度変更リンク
４ｂ  従動の戸用駆動リンク
４ｃ  戸駆動用リンク
５  ドアハンガー
６  案内レール
７  駆動モータ
８  かごの敷居
９  ベーン取付金
９ａ  軸受
１０  固定側係合ベーン
１０ａ  ベーン支持軸
１０ｂ  ストッパー
１０ｃ  外広がりの傾斜部
１０ｄ  貫通穴
１１  戻しバネ
１２  可動側係合ベーン
１２ａ  外広がりの傾斜部
１３  軸ピン
１４  つる巻きバネ
１５  乗場出入り口枠
１６  乗場の戸
１７  ドアハンガー
１８  案内レール
１９  乗場戸開閉装置
２０  乗場の敷居
２１  係合ローラ取付台
２２  軸取付金具
２２ａ  軸受
２３  係合ローラ
２３ａ  係合ローラ支持軸
２３ｂ  ストッパー
２３ｃ  転動傾斜部
２４  戻しバネ
【図１】
2008037569.tif 000003
【図２】
2008037569.tif 000004
【図３】
2008037569.tif 000005
【図４】
2008037569.tif 000006
【図５】
2008037569.tif 000007